(57)【要約】【課題】発熱するＣＰＵや電源等の電子部品を使用する、複写機、プリンタ、ファクシミリ、スキャナ等の機能を有する画像入出力機器において、冷却水をポンプにより循環させる水冷方式による冷却装置を提供することにある。【解決手段】トナー等の微粒子状の材料を使用する画像入出力機器において、それに使用する電子部品の冷却に水冷方式の冷却装置５、６を設ける。【選択図】      図１
2004272018.tif 000002
【特許請求の範囲】
【請求項１】
トナー等の微粒子状の材料を使用する画像入出力機器において、画像入出力機器内に配置される電子部品を冷却するために水冷方式の冷却装置を用いることを特徴とする画像入出力機器。
【請求項２】
前記水冷方式の冷却装置が冷却すべき部分に冷却水を循環させることを特徴とする請求項１記載の画像入出力機器。
【請求項３】
前記電子部品を覆うカバーには、外部接続用の開口以外の開口を設けないことを特徴とする請求項１記載の画像入出力機器。
【請求項４】
前記電子部品が画像入出力機器内に密封して収納されることを特徴とする請求項１記載の画像入出力機器。
【発明の詳細な説明】
【０００１】
【発明の属する技術分野】
本発明は、電子部品の冷却装置を備えた複写機、ファクシミリ、プリンタ、スキャナ等の画像入出力機器に関するものである。
【０００２】
【従来の技術】
従来、発熱するＣＰＵや電源等の電子部品を使用する、複写機、プリンタ、ファクシミリ、スキャナ等の機能を有する画像入出力機器においては、冷却装置として通気用の電動ファンを使用している。
図５は従来の画像入出力機器としてデジタル複合機の外観を示す概略斜視図である。同図においてデジタル複合機Ａの背面に各電子部品や電源などを冷却するために幾つかの電動ファン１および排気ダクト２が取り付けられている。これらを覆う裏カバー３には電動ファン１および排気ダクト２に対応する通気口４が設けてある。
【０００３】
【発明が解決しようとする課題】
しかしながら、上記従来技術では、トナー等の微粒子状の材料を使用する機器においては通気口４から電動ファンによって空気中にトナーが飛散し、また、発熱部品のレイアウトが制限され、さらに、電子部品に埃などのゴミが通気口から入って、故障を引き起こすという問題がある。
そこで本発明の目的は、上記の問題点を解決するために、発熱するＣＰＵや電源等の電子部品を使用する、複写機、プリンタ、ファクシミリ、スキャナ等の機能を有する画像入出力機器において、冷却水をポンプにより循環させる水冷方式による冷却装置を備えた画像入出力機器を提供することにある。
【０００４】
【課題を解決するための手段】
前記の課題を解決するために、請求項１記載の発明では、トナー等の微粒子状の材料を使用する画像入出力機器において、それに使用する電子部品の冷却に水冷方式の冷却装置を設ける画像入出力機器を最も主要な特徴とする。
請求項２記載の発明では、前記水冷方式の冷却装置が冷却すべき部分に冷却水を循環させる請求項１記載の画像入出力機器を主要な特徴とする。
請求項３記載の発明では、前記電子部品を覆うカバーが外部接続用の口以外の開口を設けない請求項１記載の画像入出力機器を主要な特徴とする。
請求項４記載の発明では、前記電子部品がその中に密封して収納されることを特徴とする請求項１記載の画像入出力機器を主要な特徴とする。
【０００５】
【発明の実施の形態】
以下、図面により本発明の実施の形態を詳細に説明する。図１は本発明における画像入出力機器としてのデジタル複合機の第１の実施の形態の外観を示す概略斜視図である。図１に示すように、冷却水を冷却水循環用ポンプ６によって循環させ、ラジエータ５に通すことによって電装部を構成する発熱部品としての電子部品を冷却する。発熱部分を通って昇温した冷却水は、デジタル複合機Ａの温度の低い部分を通過させることにより容易に冷却できる。
画像出力機器としてのデジタル複合機Ａでは印字するさいにトナーを使用している。従来技術の電動ファンを使用すると、排気ダクトから空気中にデジタル複合機Ａの内部から漏れたトナーが飛散するおそれがある。
しかしながら、本発明では電動ファンを用いず、したがって排気ダクトも必要としない水冷方式であるため、排気ダクトから空気中にデジタル複合機Ａの内部から漏れたトナーが飛散する恐れを回避することができる。
また、水冷方式の冷却によれば、デジタル複合機Ａの電源が投入されたままでも、従来の電動ファンのごとき動作音は発生せず、排気ダクトからデジタル複合機Ａの外部に騒音が漏れないので、消音化でき、図書館や病院などへ設置し易くなる。
さらに、冷却水を循環させる水冷方式によれば、水循環パイプ（図示せず）、ラジエータ５および冷却水循環用ポンプ６は電子基板の自由なデザイン、ある程度の小型化、デジタル複合機Ａの自由なデザインを許容する。
【０００６】
図２は本発明における画像入出力機器としてデジタル複合機の第２の実施の形態の外観を示す概略斜視図である。図２において、発熱部品を搭載した電子基板８はデジタル複合機Ａの背面等に設けた装着スペースＳからその内部に収納される。この電子基板８にはラジエータ５を組み込む。
図３は本発明における画像入出力機器としてのデジタル複合機の第３の実施の形態の外観を示す概略斜視図である。図３において、ラジエータ５を備えた電子基板８はケース９内に収納・密封してデジタル複合機Ａの収納スペースＳ内に配置することができる。したがって、デジタル複合機Ａの主要な電子部品を配置している電子基板８を埃や塵から護ることができ、ショートなどの問題からデジタル複合機Ａを護ることができる。
図４は本発明における画像入出力機器としてのデジタル複合機の第４の実施の形態の外観を示す概略斜視図である。図１のようなデジタル複合機の場合、本体と自動原稿給紙装置（ＡＤＦ）Ｂとが分離している。このときに本体と自動原稿給紙装置Ｂの両方とも冷却装置が必要となった場合には、同一の水冷装置を使用することはできない。
さらにＡＤＦの冷却を必要とする範囲が狭かった場合、水冷装置を使用するとかえって装置が大きくなってしまう可能性がある。そのような場合には、例外的に電動ファン１と水冷装置（ラジエータ）５を併用することにより効率的に設計することが可能となる。
【０００７】
本発明のレーザープリンタ、複写機のような画像入出力機器において、紙に印字するさいにトナーのような微粒子状の物質を空気中に撒き散らすことがなく、空気中へのトナーの飛散を軽減することができる。
本発明のレーザープリンタ、複写機、ファクシミリ、スキャナ等の画像入出力機器において、電源やＣＰＵ等の発熱する電子部品の冷却は水冷方式であるため、騒音が発生せず、画像入出力機器Ａのみ使用時でも消音化が可能となる。
本発明のレーザープリンタ、複写機、ファクシミリ、スキャナ等の画像入出力機器において、ＣＰＵや電源等の発熱する電子部品の冷却は水冷方式であるため、画像入出力機器Ａ内部に冷却水を循環させる水冷装置を巡らせることで発熱する電子部品の配置を自由にできるので、従来では廃熱の問題で配置できなかったような場所にも発熱部品を配置することができるようになり、装置の小型化や独創的なデザインなどが可能となる。
本発明によるレーザープリンタ、複写機、ファクシミリ、スキャナ等の画像入出力機器では、コネクタなどの部分を除いて装置内の電子基板８を密閉して外気から遮断することにより塵や埃などから電子部品を護ることができ、また、それら電子部品の冷却も可能である。
冷却水を循環して電子部品を冷却するには、冷却水を循環させるためのパイプが必要となるが、冷却範囲が小規模な場合にはかえって電動ファンよりも冷却装置が大きくなったり効率が悪くなったりする場合がある。このような場合には電動ファン１と水冷方式の冷却装置５、６を組み合わせて使用することにより解決できる。
冷却水とは、水に限らず、その他の液状の冷却媒体であってもよい。
【０００８】
【発明の効果】
以上説明したように、請求項１によれば、トナーを使用するレーザープリンタ、複写機のような画像入出力機器においては、電動ファンを全て廃し、機器内に冷却水を循環させて冷却するため機器内から空気中へのトナーの飛散を軽減することができる。
請求項２によれば、レーザープリンタ、複写機、ファクシミリ、スキャナ等の画像入出力機器において、電動ファンを全て廃し冷却水を循環させて冷却するため、装置の未使用時、待機時に装置の消音化が可能となる。
請求項３によれば、レーザープリンタ、複写機、ファクシミリ、スキャナ等の画像入出力機器において、電動ファンの配置や冷却効率などの制約により、部品の配置場所や装置のデザインなどに制約がなくなるため、従来では廃熱の問題で配置できなかったような場所にも配置することができるようになり、装置の小型化や独創的なデザインなどが可能となる。
電子基板をケース内に納める場合に、電動ファンを使用する場合には通気ダクトなどを付けて電動ファンを設置しなくてはならないため、逆に大きくなってしまうが、水冷式にすることによりケース内に納めることができ、装置を少し小型化できる。
請求項４によれば、レーザープリンタ、複写機、ファクシミリ、スキャナ等の入出力機器では、電動ファンを廃するため、コネクタなどの部分を除いて密閉して外気から遮断することにより塵や埃などから電子部品を護ることができ、装置の故障を減らすことができる。
【図面の簡単な説明】
【図１】本発明における画像入出力機器としてデジタル複合機の第１の実施の形態の外観を示す概略斜視図である。
【図２】本発明における画像入出力機器としてデジタル複合機の第２の実施の形態の外観を示す概略斜視図である。
【図３】本発明における画像入出力機器としてデジタル複合機の第３の実施の形態の外観を示す概略斜視図である。
【図４】本発明における画像入出力機器としてデジタル複合機の第４の実施の形態の外観を示す概略斜視図である。
【図５】従来の画像入出力機器としてデジタル複合機の外観を示す概略斜視図である。
【符号の説明】
Ａ  画像入出力機器（デジタル複合機）
１  冷却ファン（電動ファン）
５  ラジエータ（冷却装置）
６  冷却水循環用ポンプ（冷却装置）
７  カバー（裏カバー）
８  電子基板
９  ケース
【図１】
2004272018.tif 000003
【図２】
2004272018.tif 000004
【図３】
2004272018.tif 000005
【図４】
2004272018.tif 000006
【図５】
2004272018.tif 000007